(57)【要約】  【課題】  紙屑等のゴミの内容物が見えないように蓋を設け、使用後に体積をコンパクトにして廃棄が可能な使い捨て紙製ゴミ箱を提供すること。  【解決手段】  ゴミを収容するための所定の体積を有する紙製ゴミ箱であって、内部にゴミが収容されるゴミ箱本体と、ゴミ箱本体の開口部を覆い内部を外部から遮蔽する蓋とを有し、底部と共にゴミ箱本体を構成する４個の側壁片（Ｆ１，Ｆ２，Ｆ３，Ｆ４）に、所定の角度をもって平行に設けた７本のミシン目（Ｌ１，Ｌ２，Ｌ３，Ｌ４，Ｌ５，Ｌ６，Ｌ７）を有する使い捨て紙製ゴミ箱１００。  【選択図】  図２
2006160509.tif 000002
【特許請求の範囲】
【請求項１】
ゴミを収容するための所定の体積を有する紙製ゴミ箱であって、
内部に前記ゴミが収容されるゴミ箱本体と、
前記ゴミ箱本体の開口部を覆う蓋と、を有し、
前記ゴミ箱本体は、収容された前記ゴミの量に応じて前記体積を低減する機能を備えることを特徴とする使い捨て紙製ゴミ箱。
【請求項２】
前記ゴミ箱本体は、底部に立設された４個の側壁片により前記ゴミを収容するための空間が構成された略直方体であることを特徴とする請求項１記載の使い捨て紙製ゴミ箱。
【請求項３】
前記ゴミ箱本体は、前記ゴミを収容するための空間を構成する側壁に、所定の角度をもって平行に設けた複数本のミシン目を有することを特徴とする請求項１または２に記載の使い捨て紙製ゴミ箱。
【請求項４】
前記ゴミ箱本体は、前記ゴミを収容するための空間を構成する側壁の上縁部から垂直方向に形成された所定の長さのミシン目を有することを特徴とする請求項１または２に記載の使い捨て紙製ゴミ箱。
【請求項５】
前記ゴミ箱本体は、前記ゴミを収容するための空間を構成する側壁の上縁部から垂直方向に形成された所定の長さの第１のミシン目を有するとともに、前記第１のミシン目と直角方向に交差する第２のミシン目を有することを特徴とする請求項１または２に記載の使い捨て紙製ゴミ箱。
【請求項６】
前記ゴミ箱本体は、前記ゴミを収容するための空間を構成する側壁に、所定の間隔で平行に形成された一対のミシン目からなる切り取り部を有することを特徴とする請求項１または２に記載の使い捨て紙製ゴミ箱。
【請求項７】
前記ゴミ箱本体は、前記ゴミを収容するための空間を構成する側壁の上縁部から垂直方向に圧潰可能な蛇腹が設けられていることを特徴とする請求項１または２に記載の使い捨て紙製ゴミ箱。
【請求項８】
前記ゴミ箱本体は、前記ゴミを収容するための空間の略中央部が内側にくびれるように形成されていることを特徴とする請求項１記載の使い捨て紙製ゴミ箱。
【請求項９】
前記ゴミ箱本体は、前記ゴミを収容するための空間の略中央部が外側に膨らむように形成されていることを特徴とする請求項１記載の使い捨て紙製ゴミ箱。
【発明の詳細な説明】
【技術分野】
【０００１】
本発明は、使い捨て紙製ゴミ箱に関し、より詳しくは、体積をコンパクトにすることが可能な使い捨て紙製ゴミ箱に関する。
【背景技術】
【０００２】
従来、紙製のゴミ箱は、例えば、オフィス等でデスク傍に置かれて、使用後にそのまま廃棄処分が可能な使い捨て用として多用されている。この場合、紙屑・汚物等の内容が他人の眼に触れずに処分されることが好ましいため、通常、蓋付きの紙製ゴミ箱が使用されている（例えば、特許文献１参照）。
【０００３】
【特許文献１】実開昭５１−１１１８２２号公報
【発明の開示】
【発明が解決しようとする課題】
【０００４】
ところで、このような紙製のゴミ箱は、比較的剛性の高い厚紙等を用いて構成されているので、簡単な圧縮操作では体積をコンパクトにできないことが多い。このため、嵩高いままで廃棄処分せざるを得ないので、ゴミ収集場所等に回収するための運搬に手間がかかり、また、ゴミ収集場所等に広いスペースが必要とされる等の問題がある。
【０００５】
本発明は、このような問題を解決するためになされたものである。
即ち、本発明の目的は、使用後に体積をコンパクトにして廃棄が可能な使い捨て紙製ゴミ箱を提供することにある。
【課題を解決するための手段】
【０００６】
上記の課題を解決するために、本発明によれば、ゴミを収容するための所定の体積を有する紙製ゴミ箱であって、内部にゴミが収容されるゴミ箱本体と、ゴミ箱本体の開口部を覆う蓋と、を有し、ゴミ箱本体は、収容されたゴミの量に応じて体積を低減する機能を備える使い捨て紙製ゴミ箱が提供される。
ここで、ゴミ箱本体は、底部に立設された４個の側壁片によりゴミを収容するための空間が構成された略直方体であることが好ましい。
【０００７】
次に、本発明が適用される使い捨て紙製ゴミ箱を構成するゴミ箱本体には、収容されたゴミの量に応じて体積を低減する機能を発現するための手段が嵩じられており、適当な外力を付与することにより容易に圧縮することができる。
具体的には、ゴミ箱本体は、ゴミを収容するための空間を構成する側壁に、所定の角度をもって平行に設けた複数本のミシン目を有することが好ましい。
また、ゴミ箱本体は、ゴミを収容するための空間を構成する側壁の上縁部から垂直方向に形成された所定の長さのミシン目を有することが好ましい。
また、ゴミ箱本体は、ゴミを収容するための空間を構成する側壁の上縁部から垂直方向に形成された所定の長さの第１のミシン目を有するとともに、第１のミシン目と直角方向に交差する第２のミシン目を有することが好ましい。
さらに、ゴミ箱本体は、ゴミを収容するための空間を構成する側壁に、所定の間隔で平行に形成された一対のミシン目からなる切り取り部を有することが好ましい。
またさらに、ゴミ箱本体は、ゴミを収容するための空間を構成する側壁の上縁部から垂直方向に圧潰可能な蛇腹が設けられていることが好ましい。
【０００８】
また、他の態様としては、ゴミ箱本体は、ゴミを収容するための空間の略中央部が内側にくびれるように形成されていることが好ましい。
さらに、ゴミ箱本体は、ゴミを収容するための空間の略中央部が外側に膨らむように形成されていることが好ましい。
【発明の効果】
【０００９】
本発明によれば、使用後に体積をコンパクトにして廃棄が可能な使い捨て紙製ゴミ箱が得られる。
【発明を実施するための最良の形態】
【００１０】
以下に、図面に基づき、本発明を実施するための最良の形態（以下、実施の形態）について説明する。尚、本発明は本実施の形態に限定されない。
（第１の実施形態）
図１は、本実施の形態が適用される使い捨て紙製ゴミ箱の第１の実施形態を説明するための展開図である。図１に示すように、使い捨て紙製ゴミ箱１００は、所定の厚さ及び剛性を有する厚紙等により構成され、略直方体であるゴミ箱本体の４個の側壁片（Ｆ１,Ｆ２,Ｆ３,Ｆ４）を、それぞれ折曲線ａ,ｂ,ｃを介して連設した側壁構成片Ｆと、側壁構成片Ｆの端縁に折曲線ｄを介して連設したのり代１５とを有する。また、側壁片Ｆ１の上縁に折曲線ｅを介して連設した略台形のフラップ１６と、側壁片Ｆ２の上縁に折曲線ｆを介して連設した変形された台形のフラップ１７と、側壁片Ｆ３の上縁に折曲線ｇを介して連設したフラップ２１と、側壁片Ｆ４の上縁に折曲線ｉを介して連設したフラップ２２と、を有している。
【００１１】
図１に示すように、フラップ１７の形状とフラップ２２の形状とは線対称である。フラップ２１には、上縁の中央に山形凸部１８と両側に係合凹部１９,１９とを設け、左右の折曲線ｈ,ｈを介して三角形の折曲制限片２０,２０が連設されている。さらに、各側壁片（Ｆ１,Ｆ２,Ｆ３,Ｆ４）の下縁には、それぞれ折曲線ｊ,ｋ,ｌ,ｍを介して折り曲げる底構成フラップ２３,２４,２５,２６が連設されている。
後述するように、４個の側壁片（Ｆ１,Ｆ２,Ｆ３,Ｆ４）、のり代１５及び底構成フラップ２３,２４,２５,２６はゴミ箱本体を構成し、フラップ１６,１７,２１,２２は、ゴミ箱本体の開口部を覆う蓋を構成する。
【００１２】
また更に、図１に示すように、側壁構成片Ｆには、所定の角度をもって平行に複数本のミシン目（Ｌ１,Ｌ２,Ｌ３,Ｌ４,Ｌ５,Ｌ６,Ｌ７）が形成されている。最も長いミシン目Ｌ１は、４個の側壁片（Ｆ１,Ｆ２,Ｆ３,Ｆ４）上の総てに形成されるように、側壁構成片Ｆの左端上縁の角部と右端下縁の角部とを結ぶ対角線上に形成されている。本実施の形態では、ミシン目Ｌ２は側壁片Ｆ１の上四分の一の地点から、ミシン目Ｌ１と平行に所定の角度をもって、側壁片Ｆ１,Ｆ２,Ｆ３上に形成されている。ミシン目Ｌ３は側壁片Ｆ１の二分の一の地点から、ミシン目Ｌ１と平行に所定の角度をもって、側壁片Ｆ１,Ｆ２上に形成されている。ミシン目Ｌ４は側壁片Ｆ１の下四分の一の地点から、ミシン目Ｌ１と平行に所定の角度をもって、側壁片Ｆ１上に形成されている。
【００１３】
また、ミシン目Ｌ５は側壁片Ｆ３と側壁片Ｆ４とが隣接する上縁の角部の地点から、ミシン目Ｌ１と平行に所定の角度をもって、側壁片Ｆ４上に形成されている。ミシン目Ｌ６は側壁片Ｆ２と側壁片Ｆ４とが隣接する上縁の角部の地点から、ミシン目Ｌ１と平行に所定の角度をもって、側壁片Ｆ３,Ｆ４上に形成されている。ミシン目Ｌ７は側壁片Ｆ１と側壁片Ｆ２とが隣接する上縁の角部の地点から、ミシン目Ｌ１と平行に所定の角度をもって、側壁片Ｆ２,Ｆ３,Ｆ４上に形成されている。
【００１４】
図２は、本実施の形態が適用される使い捨て紙製ゴミ箱の第１の実施形態を説明するための斜視図である。図２には、組み立てられる使い捨て紙製ゴミ箱１００が示されている。図２（ａ）に示すように、先ず、側壁構成片Ｆは、各側壁片（Ｆ１,Ｆ２,Ｆ３,Ｆ４）をそれぞれ折曲線ａ,ｂ,ｃ（図１参照）より同じ方向に折り曲げ、のり代１５を側壁片Ｆ１の内側に貼着し、また、底構成フラップ２３,２４,２５,２６（図１参照）を内側に折り曲げて底部を形成し、ゴミ箱本体を整える。このとき、４個の側壁片（Ｆ１,Ｆ２,Ｆ３,Ｆ４）に、所定の角度をもって平行に形成された複数本のミシン目（Ｌ１,Ｌ２,Ｌ３,Ｌ４,Ｌ５,Ｌ６,Ｌ７）は、ゴミ箱本体を螺旋状に取り巻いている。
【００１５】
次に、ゴミ箱本体の開口部を覆う蓋について説明する。図２（ａ）に示すように、フラップ２１の両側に連設した三角形の折曲制限片２０,２０を折曲線ｈ,ｈにより内側に折り曲げ、次いで、フラップ２１を折曲線ｇより内側に折り曲げる。続いて、図２（ｂ）に示すように、フラップ１７,２２を折曲線ｆ,ｉにより、それぞれ内側に折り曲げ、既に折り曲げたフラップ２１の上面に重ねる。次に、図２（ｃ）に示すように、フラップ１６を折曲線ｅより内側に折り曲げると共に、その先端部を既に折り曲げたフラップ２１の上面に被せてさらに押し下げる。同時にフラップ１６の先端部でフラップ１７,２２を押し下げると。フラップ１６の先端部が撓りながらフラップ２１の中央部に設けた山形凸部１８の上面を滑って下側に入り込み、中央部が窪んだ蓋を構成する。
【００１６】
ここで、図２（ｃ）に示す使い捨て紙製ゴミ箱１００の蓋は、ゴミ箱本体に紙屑などを入れる際に、上方からフラップ１６を押し下げると、フラップ１７,２２が押し下げられると共にフラップ２１が押し下げられる。このとき、フラップ２１の両側に連設された三角形の折曲制限片２０,２０が側壁Ｆ３に当接して停止するので、フラップ２１はそれ以上下降しない。さらに、フラップ２１を押すことによりフラップ２１の先端部が変形して蓋が開口し、紙屑はゴミ箱本体内に落下する。その後、押し下げ操作を解除すると、４個のフラップ（１６,１７,２１,２２）は弾性により再びもとの位置に戻って蓋は閉鎖され、内容物が外部から遮蔽される。
尚、本実施の形態においては、使い捨て紙製ゴミ箱１００の蓋とゴミ箱本体とが、１枚の厚紙により一体に成型された事例について説明したが、必ずしもこれに限定されず、用途、目的等に応じて、蓋とゴミ箱本体とをそれぞれ別体で成型し、これらを組み合わせることも可能である。
【００１７】
図２（ｃ）に示すように、本実施の形態が適用される使い捨て紙製ゴミ箱１００は、４個の側壁片（Ｆ１,Ｆ２,Ｆ３,Ｆ４）に、所定の角度をもって平行に複数本のミシン目（Ｌ１,Ｌ２,Ｌ３,Ｌ４,Ｌ５,Ｌ６,Ｌ７）が形成されていることにより、簡単な操作によりゴミ箱本体を圧縮し、体積を低減させることが可能である。即ち、図２（ｃ）に示すように、例えば、使い捨て紙製ゴミ箱１００の底部をおさえて、所定の外力により矢印で示すようにゴミ箱本体を捻るようにすれば、ゴミ箱本体に螺旋状に形成された複数本のミシン目（Ｌ１,Ｌ２,Ｌ３,Ｌ４,Ｌ５,Ｌ６,Ｌ７）部分から折り曲げられ、その結果、ゴミ箱本体を容易に圧縮することができる。
尚、本実施の形態では、７本のミシン目（Ｌ１,Ｌ２,Ｌ３,Ｌ４,Ｌ５,Ｌ６,Ｌ７）を設けているが、ミシン目の本数、角度、長さ等は、ゴミ箱本体を構成する厚紙等の材質、厚さ、剛性等、さらに収容されるゴミの量に応じて適宜選択することができる。
【００１８】
（第２の実施形態）
図３は、本実施の形態が適用される使い捨て紙製ゴミ箱の第２の実施形態を説明するための図である。第１の実施形態と共通する部分は、同じ符号を使用し説明を省略する。図３（ａ）に示した使い捨て紙製ゴミ箱２００は、略直方体であるゴミ箱本体の４個の側壁片（Ｆ１,Ｆ２,Ｆ３,Ｆ４）の上縁部から所定の長さ（Ｌ１）のミシン目２７,２８,２９,３０が形成されている。また、４個の側壁片（Ｆ１,Ｆ２,Ｆ３,Ｆ４）のそれぞれの底部から所定の高さ（Ｈ１）の位置に、周方向に連続して延在する折曲線３１が設けられている。
【００１９】
図３（ａ）に示すように、本実施の形態が適用される使い捨て紙製ゴミ箱２００は、４個の側壁片（Ｆ１,Ｆ２,Ｆ３,Ｆ４）の上縁部から所定の長さ（Ｌ１）のミシン目２７,２８,２９,３０が形成されていることにより、簡単な操作によりゴミ箱本体を圧縮することができる。即ち、ミシン目２７,２８,２９,３０が設けられている部分は連設された側壁片（Ｆ１,Ｆ２,Ｆ３,Ｆ４）の他の部分と比較して脆弱なため、例えば、使い捨て紙製ゴミ箱２００の上部や、４個の側壁片（Ｆ１,Ｆ２,Ｆ３,Ｆ４）において所定の長さ（Ｌ１）に対応する領域から適当な外力を加えると、ゴミ箱本体の上部が容易に圧縮される。さらに、折曲線３０が設けられていることにより、各側壁片（Ｆ１,Ｆ２,Ｆ３,Ｆ４）が内側に折り曲げられる。その結果、ゴミ箱本体を容易に圧縮することができる。
尚、折曲線３０の位置にミシン目を設けても良い。また、ミシン目２７,２８,２９,３０の長さ（Ｌ１）、折曲線３０を設ける高さ（Ｈ１）は、ゴミ箱本体を構成する厚紙等の材質、厚さ、剛性等、さらに収容されるゴミの量に応じて適宜選択することができる。
【００２０】
図３（ｂ）に示した使い捨て紙製ゴミ箱３００は、図３（ａ）に示した使い捨て紙製ゴミ箱２００の変形例である。使い捨て紙製ゴミ箱２００と共通する部分は、同じ符号を使用する。図３（ｂ）に示すように、使い捨て紙製ゴミ箱３００は、略直方体であるゴミ箱本体の４個の側壁片（Ｆ１,Ｆ２,Ｆ３,Ｆ４）の上縁部から所定の長さ（Ｌ２）のミシン目２７,２８,２９,３０が形成されている。また、４個の側壁片（Ｆ１,Ｆ２,Ｆ３,Ｆ４）の上部には、ミシン目２７,２８,２９,３０に対して直角方向に、所定の間隔を設けて４本の連続したミシン目３４,３５,３６,３７が、周方向に延在して形成されている。
【００２１】
図３（ｂ）に示すように、本実施の形態が適用される使い捨て紙製ゴミ箱３００は、４個の側壁片（Ｆ１,Ｆ２,Ｆ３,Ｆ４）の各辺に設けた所定の長さ（Ｌ２）のミシン目２７,２８,２９,３０と、ミシン目２７,２８,２９,３０に対して直角方向に所定の間隔を設けて形成した４本のミシン目３４,３５,３６,３７とにより、収容されたゴミの量に応じてゴミ箱本体の体積を適宜低減させることができる。即ち、使い捨て紙製ゴミ箱３００の上部や、４個の側壁片（Ｆ１,Ｆ２,Ｆ３,Ｆ４）において所定の長さ（Ｌ２）に対応する領域から適当な外力を加え、収容されたゴミの量に応じて、４本のミシン目３４,３５,３６,３７の中の適当なミシン目の位置までゴミ箱本体の上部を圧縮し、蓋とともに側壁片（Ｆ１,Ｆ２,Ｆ３,Ｆ４）を内部に押し込む。その結果、ゴミ箱本体を収容されたゴミの量に応じて容易に圧縮することができる。
尚、ミシン目２７,２８,２９,３０の長さ（Ｌ１）、ミシン目３４,３５,３６,３７を設ける位置、幅、本数等は、ゴミ箱本体を構成する厚紙等の材質、厚さ、剛性等さらに収容されるゴミの量に応じて適宜選択することができる。
【００２２】
（第３の実施形態）
図４は、本実施の形態が適用される使い捨て紙製ゴミ箱の第３の実施形態を説明するための図である。第１の実施形態と共通する部分は、同じ符号を使用し説明を省略する。図４（ａ）に示した使い捨て紙製ゴミ箱４００は、略直方体であるゴミ箱本体の側壁片（Ｆ１,Ｆ２,Ｆ３）の各辺の上部に、所定の間隔（ｄ１）で平行に形成された一対のミシン目からなる切り取り部３８,３９が設けられている。本実施の形態においては、ミシン目を構成する各切り込み単位は、切り込みの一端が内側に所定の角度で傾斜した部分を有するかぎ状の形状を有している。
次に、図４（ｂ）は、図４（ａ）に示した使い捨て紙製ゴミ箱４００の展開図である。図４（ｂ）に示すように、切り取り部３８,３９は、３個の側壁片（Ｆ１,Ｆ２,Ｆ３）に連続して形成されている。切り取り部３８,３９は、それぞれ、例えば、側壁片Ｆ１の左端の部分を矢印の方向に引くことにより、所定の長さが側壁片Ｆ１から切り取られる。
【００２３】
図４（ａ）に示すように、本実施の形態が適用される使い捨て紙製ゴミ箱４００は、３個の側壁片（Ｆ１,Ｆ２,Ｆ３）の各辺の上部に、所定の幅（ｄ１）の切り取り部３８,３９が設けられていることにより、収容されたゴミの量に応じてゴミ箱本体の体積を適宜低減させることができる。即ち、３個の側壁片（Ｆ１,Ｆ２,Ｆ３）に設けた切り取り部３８または切り取り部３９を切り取った後、ゴミ箱本体上部から適当な外力を加え、側壁片Ｆ４のみに連設した蓋を内部に押し込む。その結果、ゴミ箱本体を収容されたゴミの量に応じて容易に圧縮することができる。
尚、切り取り部３８,３９の幅（ｄ１）、切り取り部３８,３９を設ける位置、個数等は、ゴミ箱本体を構成する厚紙等の材質、厚さ、剛性等さらに収容されるゴミの量に応じて適宜選択することができる。
【００２４】
（第４の実施形態）
図５は、本実施の形態が適用される使い捨て紙製ゴミ箱の第４の実施形態を説明するための図である。第１の実施形態と共通する部分は、同じ符号を使用し説明を省略する。図５（ａ）に示した使い捨て紙製ゴミ箱５００は、略直方体であるゴミ箱本体の４個の側壁片（Ｆ１,Ｆ２,Ｆ３,Ｆ４）の各辺の上部に所定の幅（ｄ２）の蛇腹４０が設けられている。蛇腹４０を設けることにより、ゴミ箱本体上部から適当な外力を加えてゴミ箱本体を容易に圧縮することができる。
尚、蛇腹４０の幅（ｄ２）、蛇腹４０を設ける位置、蛇腹４０を構成する凹凸のピッチ等は、ゴミ箱本体を構成する厚紙等の材質、厚さ、剛性等さらに収容されるゴミの量に応じて適宜選択することができる。また、蛇腹４０は４個の側壁片（Ｆ１,Ｆ２,Ｆ３,Ｆ４）の各辺の全体に形成されても良い。
【００２５】
図５（ｂ）に示した使い捨て紙製ゴミ箱６００は、ゴミ箱本体の４個の側壁片（Ｆ１,Ｆ２,Ｆ３,Ｆ４）の各辺４１,４２,４３,４４において、底部から所定の高さ（Ｈ３）における部分が内側にくびれるように、各側壁片（Ｆ１,Ｆ２,Ｆ３,Ｆ４）の略中央部に折曲線４５,４６,４７,４８が形成されている。このとき、各側壁片（Ｆ１,Ｆ２,Ｆ３,Ｆ４）は、上底の長さが同一で互いに逆向きに配置した２個の台形を、それぞれの上底を重ねて一体化した形状を有している。折曲線４５,４６,４７,４８を設けることにより、ゴミ箱本体上部から適当な外力を加えて各側壁片（Ｆ１,Ｆ２,Ｆ３,Ｆ４）を内側に折り曲げ、ゴミ箱本体を容易に圧縮することができる。
尚、折曲線４５,４６,４７,４８を設ける底部から所定の高さ（Ｈ３）は、ゴミ箱本体を構成する厚紙等の材質、厚さ、剛性等さらに収容されるゴミの量に応じて適宜選択することができる。
【００２６】
（第５の実施形態）
図６は、本実施の形態が適用される使い捨て紙製ゴミ箱の第５の実施形態を説明するための図である。第１の実施形態と共通する部分は、同じ符号を使用し説明を省略する。図６（ａ）に示した使い捨て紙製ゴミ箱７００は、ゴミ箱本体の、相対する２個の側壁片（Ｆ１,Ｆ３）の各辺４９,５０,５１,５２の、底部から所定の高さ（Ｈ４）の部分が外側に膨らむように、２個の側壁片（Ｆ１,Ｆ３）の略中央部に折曲線５３,５４が形成されている。このとき、側壁片（Ｆ２,Ｆ４）は６角形の平面形状を有している。２個の側壁片（Ｆ１,Ｆ３）に折曲線５３,５４を設けることにより、ゴミ箱本体上部から適当な外力を加えて２個の側壁片（Ｆ１,Ｆ３）を外側に折り曲げ、ゴミ箱本体を容易に圧縮することができる。
尚、折曲線５３,５４を設ける底部から所定の高さ（Ｈ４）は、ゴミ箱本体を構成する厚紙等の材質、厚さ、剛性等さらに収容されるゴミの量に応じて適宜選択することができる。
【００２７】
図６（ｂ）に示した使い捨て紙製ゴミ箱８００は、図６（ａ）に示した使い捨て紙製ゴミ箱７００の変形例であって、ゴミ箱本体の、４個の側壁片（Ｆ１,Ｆ２,Ｆ３,Ｆ４）の各辺５５,５６,５７,５８の、底部から所定の高さ（Ｈ５）の部分が外側に膨らむように、４個の側壁片（Ｆ１,Ｆ２,Ｆ３,Ｆ４）の略中央部に折曲線５９,６０,６１,６２が形成されている。このとき、各側壁片（Ｆ１,Ｆ２,Ｆ３,Ｆ４）は、下底の長さが同一で互いに逆向きに配置した２個の台形を、それぞれの下底を重ねて一体化した形状を有している。折曲線５９,６０,６１,６２を設けることにより、ゴミ箱本体上部から適当な外力を加えて４個の側壁片（Ｆ１,Ｆ２,Ｆ３,Ｆ４）を外側に折り曲げ、ゴミ箱本体を容易に圧縮することができる。
尚、折曲線５９,６０,６１,６２を設ける底部から所定の高さ（Ｈ５）は、ゴミ箱本体を構成する厚紙等の材質、厚さ、剛性等さらに収容されるゴミの量に応じて適宜選択することができる。
【００２８】
以上、本実施の形態において詳述した使い捨て紙製ゴミ箱１００,２００,３００,４００,５００,６００,７００,８００は、内部にゴミが収容されるゴミ箱本体と、内部に収容された紙屑・汚物等のゴミを外部から遮蔽する蓋とから構成され、ゴミ箱本体には、収容されたゴミの量に応じてゴミ箱本体の体積を適宜低減させる機能が備えられている。このような機能を有するゴミ箱本体に適当な外力を加えることにより、容易に圧縮し、ゴミ箱本体の体積を低減して廃棄処分することができる。
【図面の簡単な説明】
【００２９】
【図１】本実施の形態が適用される使い捨て紙製ゴミ箱の第１の実施形態を説明するための展開図である。
【図２】本実施の形態が適用される使い捨て紙製ゴミ箱の第１の実施形態を説明するための斜視図である。
【図３】本実施の形態が適用される使い捨て紙製ゴミ箱の第２の実施形態を説明するための図である。
【図４】本実施の形態が適用される使い捨て紙製ゴミ箱の第３の実施形態を説明するための図である。
【図５】本実施の形態が適用される使い捨て紙製ゴミ箱の第４の実施形態を説明するための図である。
【図６】本実施の形態が適用される使い捨て紙製ゴミ箱の第５の実施形態を説明するための図である。
【符号の説明】
【００３０】
１５…のり代、１６,１７,２１,２２…フラップ、１８…山形凸部、１９…係合凹部、２０…折曲制限片、２３,２４,２５,２６…底構成フラップ、２７,２８,２９,３０,３４,３５,３６,３７…ミシン目、３１，４５，４６，４７，４８，５３，５４，５９，６０，６１，６２…折曲線、３８，３９…切り取り部、４０…蛇腹、４１，４２，４３，４４，４９，５０，５１，５２，５５，５６，５７，５８…辺、１００，２００,３００,４００,５００,６００,７００,８００…使い捨て紙製ゴミ箱、Ｆ…側壁構成片、ａ,ｂ,ｃ,ｄ,ｅ,ｆ,ｇ,ｈ,ｉ,ｊ,ｋ,ｌ,ｍ…折曲線、Ｆ１,Ｆ２,Ｆ３,Ｆ４…側壁片、Ｌ１,Ｌ２,Ｌ３,Ｌ４,Ｌ５,Ｌ６,Ｌ７…ミシン目
【図１】
2006160509.tif 000003
【図２】
2006160509.tif 000004
【図３】
2006160509.tif 000005
【図４】
2006160509.tif 000006
【図５】
2006160509.tif 000007
【図６】
2006160509.tif 000008